(57)【要約】【課題】ホルダとストップリングがプラグフレーム内で軸心ずれがなくスムーズに回転でき、さらにフェルールの光軸ずれ調整後、プラグフレームとストップリングとを迅速、容易に、しかも位置ずれを起こすことなく加締め固定できるようにする。【解決手段】先端にフェルール２を固定したホルダ６およびストップリング４とをプラグフレーム５の嵌合孔１６内に軸廻り方向に回転自在に挿通、保持し、一方ストップリング４に嵌合する円筒形状の金属製回転止め具２０を設け、該回転止め具２０の先端およびプラグフレーム５の嵌合孔１６後端に互いの回転を防止する係止手段１９、２４を各設けると共に、回転止め具２０後端に、フェルール２の光軸ずれ調整後、ストップリング４に対して加締め固定される加締め部２２を設けて構成する。【選択図】          図１
2004184723.tif 000002
【特許請求の範囲】
【請求項１】
フェルールと、フェルールを先端に固定するホルダと、ホルダの後端に嵌合されるストップリングと、ホルダおよびストップリングを軸廻り方向へ回転自在に挿通、保持するプラグフレームと、ホルダとストップリング間に介在しホルダと一体のフェルールを前方に付勢するコイルスプリングを備えた光コネクタプラグであって、
前記ストップリングに擢動自在に嵌合する円筒形状の金属製回転止め具を設け、該回転止め具の先端およびプラグフレームの嵌合孔後端に互いの回転を阻止する係止手段を各設けると共に、回転止め具後端に、フェルールの光軸ずれ調整後、ストップリングに対して加締め固定される加締め部を設けたことを特徴とする光コネクタプラグ。
【請求項２】
前記回転止め具およびプラグフレームの互いの回転を阻止する係止手段として、回転止め具先端に係止溝を設けると共に、プラグフレームの嵌合孔後端に前記係止溝に係合する係合突部を設けたことを特徴とする請求項１記載の光コネクタプラグ。
【請求項３】
前記ホルダは、円形の鍔部を介して前部に、円筒形状のフェルールの嵌合筒が一体に形成されると共に、後部に、前記嵌合筒と連通する径大筒と径小筒を前後部に連設した光ファイバケーブルの案内筒が一体に形成され、かつ径大筒後端に係合溝を設けて形成され、一方、ストップリングは、その先端に係止爪が突設され、前記係合溝に係止爪を係合することによってホルダとストップリングが一体に回転するよう連結したことを特徴とする請求項１記載の光コネクタプラグ。
【請求項４】
プラグフレームの周壁に対向して貫通した２個一対の係止孔を設け、該係止孔にストップリングの鍔部を、軸廻り方向へ回転可能に係合させたことを特徴とする請求項１記載の光コネクタプラグ。
【発明の詳細な説明】
【０００１】
【発明の属する技術分野】
本発明は、光通信システム用の光ケーブル同志を接続するのに使用される光コネクタプラグ、特に、その際の光軸ずれに伴う接続ロスを防止するために、光ファイバの偏心方向を無段階に調整できるようにした光コネクタプラグに関する。
【０００２】
【従来の技術】
従来、この種の装置としては、プラグ組み立て後にプラグフレームとストップリングを相対的に回転させることにより、ストップリングと一体のフェルールの光軸ずれを、無段階に調整して精密に補正することが可能な光コネクタプラグが開示されている。（例えば、特許文献１参照）。
【０００３】
【特許文献１】
特開２００２−１３９６５０号公報
【０００４】
この従来の光コネクタプラグは、図１０〜図１３に示したように、先端にフェルールａを有するホルダｂと、フェルールａを所定方向に支持するストップリングｃと、ストップリングｃを軸廻り方向へ回転自在に支持、内包するプラグフレームｄと、前記ホルダｂとストップリングｃ間に介在し前記フェルールａをプラグフレームｄ内の前方に付勢するコイルスプリングｅとを備え、前記ホルダｂとストップリングｃとに互いに係合する係合部ｆ、ｇを各設けたものである。そして、前記プラグフレームｄを固定し、ストップリングｃを回転させるか、あるいはストップリングｃを固定し、プラグフレームｄを回転させることでフェルールａの光軸ずれを無段階に調整して、その調整位置を前記スプリングｅのホルダｂに対する押圧力とプラグフレームｄとスットプリングｃ間に介挿した接着剤にて固定するよう構成したものである。
なお、図中ｈは光ファイバケーブル、ｉは光ファイバを各々示している。
【０００５】
このように構成された光コネクタプラグを、光アダプタ（図示しない）内に、一方の開口部から嵌合すると、当該フェルールａと、光アダプタ内に、他方の開口部から嵌合されている他の光コネクタプラグのフェルールとが光アダプタ内にて突き合わされ、両コア同志が突き合わせ接続される。
【０００６】
上記両コア同志の接続偏心誤差は、公知の検出機によって検出され、上記偏心誤差がある場合は、当該プラグを光アダプタ内に嵌合保持させたまま、ストップリングｃを軸廻り方向へ回転操作すると、プラグフレームｄに対し、ストップリングｃは軸廻り方向へ無段階に回転され、これにより、ストップリングｃの係合部ｇと係合する係合部ｆを備えたホルダｂを介してフェルールａが軸廻り方向へ回転される。
【０００７】
従って、両コア同志の接続偏心誤差を検出機によって検出しながらストップリングｃを回転し、上記偏心誤差が無いか、または最も少ない位置でストップリングｃの回転を停止することで、上記偏心誤差を調整することができる。そして、その調整位置でストップリングｃの回転を停止すると、コイルスプリングｅのホルダｂに対する押圧力で当該ストップリングｃは固定されるが、さらにプラグフレームｄとストップリングｃ間に接着剤を充填することで完全に固定される。
【０００８】
【発明が解決しようとする課題】
しかしながら、上記した従来の光コネクタプラグでは、フェルールａを保持するホルダｂの係合部ｆとして、鍔体に４個の溝を設けた凹凸構造に形成され、この凹凸構造外面がプラグフレームｄの所定内壁面と接触して回動するようになっているので、軸心ずれの無いスムーズの回転ができ難い問題を有している。
【０００９】
また、偏心誤差の調整後、プラグフレームｄとストップリングｃとを、その間の小さい隙間に接着剤を充填することで当該位置に固定するものであるから、充填作業の効率性が悪いうえに、位置ずれを起こし易い問題がある。
【００１０】
本発明は、上記した従来の技術が有するこのような問題点を解消するためになされたもので、ホルダとストップリングがプラグフレーム内で軸心ずれが無くスムーズに回転すると共に、フェルールの光軸ずれ調整後、プラグフレームとストップリングとを迅速、容易にして、しかも位置ずれを起すことなく加締め固定できるようにした光コネクタプラグを提供することを目的とする。
【００１１】
【課題を解決するための手段】
上記目的を達成するために、本発明に係る光コネクタプラグは、請求項１では、フェルールと、フェルールを先端に固定するホルダと、ホルダの後端に嵌合されるストップリングと、ホルダおよびストップリングを軸廻り方向へ回転自在に挿通、保持するプラグフレームと、ホルダとストップリング間に介在しホルダと一体のフェルールを前方に付勢するコイルスプリングを備えた光コネクタプラグであって、
前記ストップリングに擢動自在に嵌合する円筒形状の金属製回転止め具を設け、該回転止め具の先端およびプラグフレームの嵌合孔後端に互いの回転を阻止する係止手段を各設けると共に、回転止め具後端に、フェルールの光軸ずれ調整後、ストップリングに対して加締め固定される加締め部を設けたことを特徴とする。
【００１２】
請求項２では、前記回転止め具およびプラグフレームの互いの回転を阻止する係止手段として、回転止め具先端に係止溝を設けると共に、プラグフレームの嵌合孔後端に前記係止溝に係合する係合突部を設けたことを特徴とする。
【００１３】
請求項３では、前記ホルダは、円形の鍔部を介して前部に、円筒形状のフェルールの嵌合筒が一体に形成されると共に、後部に、前記嵌合筒と連通する径大筒と径小筒を前後部に連設した光ファイバケーブルの案内筒が一体に形成され、かつ径大筒後端に係合溝を設けて形成され、一方、ストップリングは、その先端に係止爪が突設され、前記係合溝に係止爪を係合することによってホルダとストップリングが一体に回転するよう連結したことを特徴とする。
【００１４】
請求項４では、プラグフレームの周壁に対向して貫通した２個一対の係止孔を設け、該係止孔にストップリングの鍔部を、軸廻り方向へ回転可能に係合させたことを特徴とする。
【００１５】
【発明の実施の形態】
以下、本発明の実施の形態について図面を参照して詳細に説明する。
図１は、本発明に係る光コネクタプラグの縦断平面図を示し、図２は、同上プラグの分解斜視図を示し、図３は、同上プラグにおけるホルダとストップリングの取付状態の斜視図を示し、図４は、同上プラグにおけるプラグフレームとホルダとストップリングの取付状態の斜視図を示し、図５は、同上の取付状態においてプラグフレームに対してストップリングに嵌合した回転止め具を係合した状態の斜視図を示し、図６は、同上の回転止め具取付状態における加締め前の縦断平面図を示し、図７は、図６のＡ−Ａ線矢視断面図を示し、図８は、図６のＢ−Ｂ線矢視断面図を示し、図９は、同上の回転止め具取付状態における加締め後を示す図１のＣ−Ｃ線矢視断面図である。
【００１６】
本発明に係る光コネクタプラグ１は、図１および図２に示したように、後端にホルダ６を嵌合固定させてあるフェルール２と、コイルスプリング３と、ストップリング４と、プラグフレーム５および回転止め具２０を主要部材として構成されている。
【００１７】
前記フェルール２は図１に示したように、軸心に貫通して形成した微小孔に、光ファイバケーブル３０先端の被覆を剥離した光ファイバ３０ａを挿通して接着固定させてある。また、前記ホルダ６は、円形の鍔部７を介して前部に、円筒形状のフェルール２を嵌合固定する嵌合筒８が一体に形成されると共に、後部に、前記嵌合筒８と連通する円筒形状の光ファイバケーブル３０の案内筒９が一体に形成されている。
【００１８】
前記案内筒９は、嵌合筒８より長目に形成され、基部側の径大筒９ａと前部側の径小筒９ｃとを段付きに連設して形成されている。この内、径大筒９ａは、前記したコイルスプリング３が外挿、保持されると共に、先端の対向部位には、長手方向に沿って前記ストップリング４先端の２個の係止爪１０が係合する２個の係合溝９ｂ、９ｂが凹設されている。一方、径小筒９ｃはその外径が前記ストップリング４の先端に嵌合する大きさに形成されている。
【００１９】
前記ストップリング４は図１および図２等に示したように、円形の鍔部１１を介して前部に、前記ホルダ６における案内筒９の径小筒９ｃ外側へ嵌合する円筒形状の嵌合筒１２が一体に形成されると共に、後部に、前記嵌合筒１２と連通する円筒形状の光ファイバケーブル３０の案内筒１３が一体に形成されている。既述したように、この案内筒１３の先端には、対向位置に２個一対の係止爪１０、１０が一体に突設されている。
【００２０】
前記案内筒１３は、長尺に形成され、その略中間部に、環状の係合凹溝１３ａが形成されている。この係合凹溝１３ａは、光ファイバケーブル３０に外装してこれを保護するブーツ１４先端内側に突設された環状の係止突条１４ａが係合するためのものである。
【００２１】
前記プラグフレーム５は図１および図２等に示したように、略中間部から前端にかけて、前記ホルダ６先端の嵌合筒８が回動可能に嵌合する嵌合孔１５が形成されると共に、該嵌合孔１５の後方には、前記ホルダ６の鍔部７およびストップリング４の前方が回動可能に嵌合する前記嵌合孔１５より広径の嵌合孔１６が連通して形成されている。
【００２２】
このようにプラグフレーム５を形成することにより、ホルダ６先端に固定されたフェルール２は、プラグフレーム５の嵌合孔１５内の軸心位置において、先端部が前方へ突出される。すなわち、前記プラグフレーム５の２個の嵌合孔１５、１６間には、前記ホルダ６の鍔部７用の係止段部１７が形成され、他端がストップリング４の係止鍔１１に係止された状態で、ホルダ６後端の案内筒９に外挿、保持されたコイルスプリング３の弾発力によりフェルール２が前記した如く前方へ突出するよう、鍔部７が係止段部１７に係止される一方、アダプタ接続時にフェルール２が他方のフェルールと接触して押圧力を受けた際、コイルスプリング３の弾発力に抗してホルダ６と共にフェルール２がプラグフレーム５の嵌合孔１５内を後退するようになっている。
【００２３】
また、前記プラグフレーム５の後部には、前記ストップリング４の鍔部１１の外周縁に嵌合するための２個一対の係止孔１８、１８が軸心方向と直角に、かつ対向して貫通形成されている。
【００２４】
さらに、前記プラグフレーム５の嵌合孔１６における係止孔１８側の後端内壁には、回転止め具２０用の係止手段として、縦断面形状が弧状の係合突部１９、１９が対向して設けられている。この係合突部１９、１９は後述するように前記回転止め具２０をプラグフレーム５内において係止するためのものである。
【００２５】
前記回転止め具２０は図１および図２等に示したように、前端にプラグフレーム５に対する係合部２１を、後端にストップリング４に対する加締め部２２を連設した金属製円筒形状の加締めリング２３にて形成されている。
【００２６】
前記加締めリング２３における係合部２１は、前記プラグフレーム５後端の嵌合孔１６に擢動自在に嵌合可能な外径と、前記ストップリング４の案内筒１３に緩嵌合可能な内径を備えた円筒形状に形成されている。そして、この係合部２１には、プラグフレーム５に対する係止手段として、前端へ開口する２個一対の係止溝２４、２４が軸心方向と平行に、かつ対向して形成されている。両係止溝２４、２４は、前記プラグフレーム５後端の係止突部１９、１９と略同幅とすることで該係止突部１９、１９にそれぞれ係合可能となっている。
【００２７】
前記加締めリング２３における加締め部２２は、前記係合部２１より外径が小さく、かつ前記ストップリング４の案内筒１３に擢動自在に嵌合する内径を備えた円筒形状に形成されている。
【００２８】
次に、本発明に係る光コネクタプラグ１の組み立て手順について説明する。
先ず、先端の光ファイバ３０ａにフェルール２を接着固定した光ファイバケーブル３０を挿通すると共に、ホルダ６の案内筒９にコイルスプリング３を外装した状態において、当該ホルダ６の案内筒９後部にストップリング４の嵌合筒１２、案内筒１３を順次外挿する。このとき、案内筒９の係合溝９ｂ、９ｂにストップリング４先端の係止爪１０、１０をそれぞれ係合させる。これによって、ホルダ６とストップリング４は一体となって回転する。（図３参照）
【００２９】
次いで、このようにホルダ６とストップリング４を連結した状態で、これらをプラグフレーム５の嵌合孔１５、１６内に後側から挿通し、ホルダ６の鍔部７を係止段部１７に係止すると共に、ストップリング４の鍔部１１をプラグフレーム５後部に設けられた係止孔１８、１８に係合する。このとき、コイルスプリング３は圧縮され、一方、ストップリング４の鍔部１１は、プラグフレーム５の係止孔１８、１８内において軸廻り方向へ回転はするが、軸心方向への移動は阻止された状態で係合、保持されている。（図４、図８、図９参照）
【００３０】
このようにして組み立てられた光コネクタプラグ１において、プラグフレーム５に対し、ストップリング４は軸廻り方向へ回転可能となり、該ストップリング４の回転によって、フェルール２、コイルスプリング３およびホルダ６は一体となって３６０度回転する。
【００３１】
そして、これら回転部材を利用してフェルール２の光軸ずれを無段階調整した後、その調整位置を回転止め具２０で固定する。
【００３２】
すなわち、前記の調整位置に回転、調整された後、ストップリング４の案内筒１３後端へ外挿された加締めリング２３先端の係合部２１を、プラグフレーム５の嵌合孔１６後端に嵌合する。このとき、係合部２１に設けられた係止溝２４、２４をプラグフレーム５の嵌合孔１６後端に設けられた２個の係合突部１９、１９に係合させるものである。（図５、図６、図７参照）
【００３３】
この状態に加締めリング２３をストップリング４およびプラグフレーム５に固定しておいて、加締め部２２を加締めることで、加締めリング２３はストップリング４の案内筒１３に強度に組み付けられる。これによって、ストップリング４や加締めリング２３に対して回転力を付与させても、これらをプラグフレーム５内で回転させることはできない。なお、加締めリング２３に対する加締め手段としては加締め用のパンチを用いる。
【００３４】
【発明の効果】
本発明は、以上説明したように構成されているので、プラグフレームに対し、フェルール、すなわち光ファイバを周方向に回転して偏心誤差を無段階に調整、固定できることによって、前記偏心誤差を可能な限り、少なくすることができ、アダプタを使う両コア同志の突き合せ時の接続ロスを大幅に減少させることができる。
【００３５】
また、前記したフェルールの軸心ずれの調整は、互いに連絡したホルダとストップリングを軸廻り方向に回動することによって行われるが、両部材は共に円筒形状に形成され、特にホルダの鍔部外面には、従来のように凹凸部が存在しないため、プラグフレームの嵌合孔内においてガタつくことなくスムーズの回転が保証され、これによって、両コアの偏心誤差を一層少なくすることができる。
【００３６】
さらに、プラグフレームに対するストップリングの固定手段として金属製の回転止め具を使い、ストップリングに外挿した回転止め具を係止手段を介してプラグフレームに係合し、当該回転止め具を加締めるものであるから、簡単な作業で、短時間に、しかも正確な位置に固定することができる。
【図面の簡単な説明】
【図１】本発明に係る光コネクタプラグの縦断平面図を示す。
【図２】同上プラグの分解斜視図を示す。
【図３】同上プラグにおけるホルダとストップリングの取付状態の斜視図を示す。
【図４】同上プラグにおけるプラグフレームとホルダとストップリングの取付状態の斜視図を示す。
【図５】同上の取付状態においてプラグフレームに対してストップリングに嵌合した回転止め具を係合した状態の斜視図を示す。
【図６】同上の回転止め具取付け状態における加締め前の縦断平面図を示す。
【図７】図６のＡ−Ａ線矢視断面図を示す。
【図８】図６のＢ−Ｂ線矢視断面図を示す。
【図９】同上の回転止め具取付け状態における加締め後を示す図１のＣ−Ｃ線矢視断面図である。
【図１０】従来の光コネクタプラグの分解斜視図を示す。
【図１１】同上プラグの縦断面図を示す。
【図１２】図１１のＤ−Ｄ線矢視断面図を示す。
【図１３】図１１のＥ−Ｅ線矢視断面図を示す。
【符号の説明】
１    光コネクタアダプタ
２    フェルール
３    コイルスプリング
４    ストップリング
５    プラグフレーム
６    ホルダ
７    鍔部
８    嵌合筒
９    案内筒
９ａ  径大筒
９ｂ  係合溝
９ｃ  径小筒
１０  係止爪
１１  鍔部
１２  嵌合筒
１３  案内筒
１５  嵌合孔
１６  嵌合孔
１７  係止段部
１８  係止孔
１９  係合突部
２０  回転止め具
２１  係合部
２２  加締め部
２３  加締めリング
２４  係止溝
３０  光ファイバケーブル
【図１】
2004184723.tif 000003
【図２】
2004184723.tif 000004
【図３】
2004184723.tif 000005
【図４】
2004184723.tif 000006
【図５】
2004184723.tif 000007
【図６】
2004184723.tif 000008
【図７】
2004184723.tif 000009
【図８】
2004184723.tif 000010
【図９】
2004184723.tif 000011
【図１０】
2004184723.tif 000012
【図１１】
2004184723.tif 000013
【図１２】
2004184723.tif 000014
【図１３】
2004184723.tif 000015